(57)【要約】【課題】１枚のシートの折り曲げにより組立可能なトレーを用いて、個箱内での２つの物品の衝突を解消する。【解決手段】第１の物品Ａと第２の物品Ｂを個箱３０内に並置する簡易トレー１Ａが、１枚のシートの折り曲げにより組み立てられる。この簡易トレー１Ａでは、第１の物品Ａの周壁を囲む第１パネル領域１０と、第２の物品Ｂを載置する第２パネル領域２０とが連設し、第１パネル領域１０は、フロントパネル１１、バックパネル１２、一対の側面パネル１３ａ、１３ｂ、及び差込片１５を有し、差込片１５は第１パネル領域１０の第２パネル領域２０と反対側の縁部にある。第２パネル領域２０は、第２バックパネル２１、及び第２パネル領域の第１パネル領域と反対側の縁部に起立したエンドパネル２２を有する。差込片１５の差込口２３は、バックパネル１２、第２バックパネル２１又はこれらの境界部に形成されている。【選択図】図１
2010126205.tif 000002
【特許請求の範囲】
【請求項１】
第１の物品と第２の物品を個箱内に並置する簡易トレーであって、
１枚のシートの折り曲げにより組み立てられ、
第１の物品の周壁を囲む第１パネル領域と、第２の物品を載置する第２パネル領域とが連設し、
第１パネル領域が、フロントパネル、バックパネル、一対の側面パネル、及び差込片を有し、該簡易トレーの展開状態において差込片が第１パネル領域の第２パネル領域と反対側の縁部にあり、
第２パネル領域が、第２バックパネル、及び第２パネル領域の第１パネル領域と反対側の縁部に起立したエンドパネルを有し、
差込片の差込口が、バックパネル、第２バックパネル又はこれらの境界部に形成されている簡易トレー。
【請求項２】
フロントパネルのパネル幅が、バックパネルのパネル幅よりも狭く、フロントパネルの１組の対辺にフラップが設けられている請求項１記載の簡易トレー。
【請求項３】
フロントパネルに、第１の物品の観察用窓が形成されている請求項１又は２記載の簡易トレー。
【請求項４】
透明なプラスチックシートから形成されている請求項１又は２記載の簡易トレー。
【請求項５】
第１パネル領域のバックパネルの中央部に、フロントパネル側に突出する段部が形成されている請求項１〜４のいずれかに記載の簡易トレー。
【発明の詳細な説明】
【技術分野】
【０００１】
本発明は、２つの物品を個箱内で並置するのに好適な簡易トレーに関する。
【背景技術】
【０００２】
ファンデーション、チーク、シャドウ等の化粧料のコンパクトケースと、そのコンパクトケースに嵌め込む化粧料の詰替用ケーキ（粉末状の化粧料をケーキ状に皿に充填したもの）とを個箱に収容したセット品のように、２つの物品を個箱に収容する場合、２つの物品の位置ずれ、がたつき等を抑制するため、従来より、インジェクション成型容器や真空成型トレー等のプラスチック製の保護部材が使用されている。
【０００３】
しかしながら、インジェクション成型容器も真空成型トレーも製造コストが高い。さらに、詰替用ケーキをコンパクトケースに嵌め込んだ後は、これらの保護部材は不要になり、廃棄されるだけであるから、保護部材にコストをかけることは望ましくない。
【０００４】
また、インジェクション成型容器も真空成型トレーも詰替用ケーキに対して嵩高いため、これらを用いてコンパクトケースと詰替用ケーキを個箱に収容すると、本来のこれらの合計容積よりも相当に個箱を大きくしなくてはならない。
【０００５】
一方、１枚のシートの折り曲げにより組み立て可能な組立トレーが提案されている（特許文献１、特許文献２）。しかしながら、従来の組立トレーでは、個箱内で物品同士の衝突を解消することができず、物品の保護が十分とはいえない。そのため、個箱内で詰替用ケーキが割れるおそれがある。
【０００６】
【特許文献１】特開平３−１８７８３８号公報
【特許文献２】特開２００１−１９２０２１号公報
【発明の開示】
【発明が解決しようとする課題】
【０００７】
そこで、本発明は、２つの物品を個箱内に収容するトレーについて、(i)１枚のシートの折り曲げにより簡単に組み立てることができ、(ii)個箱内での物品同士の衝突を解消することにより、物品を保護し、(iii)トレーを用いた物品の収容状態が嵩張らないようにすることを目的とする。
【課題を解決するための手段】
【０００８】
本発明者は、２つの物品を個箱内に収容する際に保護部材として使用するトレーを、１枚のシートの折り曲げにより組み立てるにあたり、シートを筒状にして一方の物品の外周を囲むようにすると、個箱内で物品同士が衝突しないので物品の保護作用が向上し、かつ、物品の収容状態も嵩張らないことを見出した。
即ち、本発明は、第１の物品と第２の物品を個箱内に並置する簡易トレーであって、
１枚のシートの折り曲げにより組み立てられ、
第１の物品の周壁を囲む第１パネル領域と、第２の物品を載置する第２パネル領域とが連設し、
第１パネル領域が、フロントパネル、バックパネル、一対の側面パネル、及び差込片を有し、該簡易トレーの展開状態において差込片が第１パネル領域の第２パネル領域と反対側の縁部にあり、
第２パネル領域が、第２バックパネル、及び第２パネル領域の第１パネル領域と反対側の縁部に起立したエンドパネルを有し、
差込片の差込口が、バックパネル、第２バックパネル又はこれらの境界部に形成されている簡易トレーを提供する。
【発明の効果】
【０００９】
本発明の簡易トレーによれば、第１パネル領域で第１の物品の周壁を囲み、第１の物品と第２の物品を個箱内に並置させることができるので、個箱に外部から衝撃が加わっても第１の物品と第２の物品が互いに衝突することがなく、これらを並置した状態に維持し、保護することができる。
【００１０】
また、この簡易トレーを用いて第１の物品と第２の物品を並置した状態でのこれらの合計容積は、第１の物品と第２の物品を直接並置した場合とほとんど変わらず、簡易トレーを使用した場合でも個箱を大きくすることが不要となる。
【００１１】
さらに、個箱や簡易トレーを透明材料等から形成した場合には、第１の物品のフロント面も第２の物品のフロント面も個箱の外側から観察できるので、これらの物品のデザインを消費者にアピールすることができる。
【発明を実施するための最良の形態】
【００１２】
以下、図面を参照しつつ本発明を詳細に説明する。なお、各図中、同一符号は、同一又は同等の構成要素を表している。
【００１３】
図１は、本発明の一実施例の簡易トレー１Ａの斜視図、図２は、その展開状態の平面図、図３は、この簡易トレー１Ａを用いて個箱３０に第１の物品Ａと第２の物品Ｂを収容した状態の模式的斜視図及び断面図である。
【００１４】
この簡易トレー１Ａは、図２に示すように、１枚のシートに展開されるもので、図３に示すように第１の物品Ａの周壁を囲む第１パネル領域１０と第１パネル領域１０に連設した第２パネル領域２０とを備えている。
【００１５】
第１パネル領域１０は、第１の物品Ａと第２の物品Ｂの個箱３０への収容時に、第１の物品の外周を囲めるように、フロントパネル１１、該フロントパネル１１の対辺に連設した一対の側面パネル１３ａ、１３ｂ、及び一方の側面パネル１３ｂに連設したバックパネル１２を有している。ここで、フロントパネル１１は、図３に示すように簡易トレー１Ａを個箱３０へ収容した状態で、個箱３０の正面側に位置し、バックパネル１２は個箱３０の背面側に位置する。
【００１６】
フロントパネル１１の残りの対辺には、一対のフラップ１４ａ、１４ｂが連設している。このフラップ１４ａ、１４ｂは、後述するように、第１の物品Ａのがたつきを抑制するものであり、本発明において第１の物品Ａの大きさにより、必要に応じて設けられる。
【００１７】
また、第１パネル領域１０の第２パネル領域２０と反対側の縁部には差込片１５が連設されている。
【００１８】
一方、第２パネル領域２０は、簡易トレー１Ａを個箱３０へ収容した状態で個箱３０の背面側に位置する第２バックパネル２１と、第２バックパネル２１に第１パネル領域１０と反対側の縁部において連設したエンドパネル２２とを有している。
【００１９】
側面パネル１３ａと第２バックパネル２１との境界部、又はそれよりも僅かに第２バックパネル２１の中央部寄りに、差込片１５を差し込むための差込口２３が形成されている。
【００２０】
ここで、各パネルの境界には、折り曲げ用罫線が形成されている。
【００２１】
第１パネル領域１０のフロントパネル１１の幅Ｌ1は、第１の物品Ａの幅Ｗ1（第３図(a)）に合わせて定められる。第１パネル領域１０のバックパネル１２の幅Ｌ2と第２パネル領域２０の第２バックパネル２１の幅Ｌ3とは等しく、これらは第２の物品Ｂの幅Ｗ2に合わせて定められる。本実施例では、フロントパネル１１の幅Ｌ1がバックパネル１２の幅Ｌ2よりも狭くなっている。
【００２２】
展開状態の簡易トレー１Ａの長手方向の、側面パネル１３ａ、１３ｂの長さＬ4は、第１の物品Ａの高さＨ1（第３図(b)）に合わせて定められ、その長手方向のエンドパネル２２の長さＬ5は、個箱３０の高さＨ2（第３図(b)）に合わせて定められる。
【００２３】
展開状態の簡易トレー１Ａを組み立て、第１の物品Ａと第２の物品Ｂを個箱３０へ収容するためのトレーとして使用する方法の一例は、以下のとおりである。
【００２４】
まず、図１に示すように、第１パネル領域１０を四角筒状に折り曲げ、差込片１５を差込口２３へ第２バックパネル２１の背面側からその表面側に差し込む。そして、エンドパネル２２を第２バックパネル２１から起立させる。
【００２５】
次に、第１パネル領域１０で形成した四角筒状体の中に第１の物品Ａを挿入し、フラップ１４ａ、１４ｂで挿入方向の両端を押さえる。
【００２６】
さらに、第２バックパネル２１の上に第２の物品Ｂを載せ、その状態で個箱３０に収容する。
【００２７】
これにより、第１の物品Ａを、簡易トレー１Ａの第１パネル領域で囲んだ状態で、第２の物品Ｂと並置させることができるので、第１の物品Ａと第２の物品Ｂが個箱３０内で衝突することを防止できる。
【００２８】
また、第１の物品Ａの幅Ｗ1が第１の物品Ｂの幅Ｗ2より狭くても、第1の物品Ａは、フラップ１４ａ、１４ｂによって個箱３０の幅方向の中央部に固定されるので、第１の物品Ａが個箱３０内でがたつくことを抑制できる。
【００２９】
さらに、エンドパネル２２が第２バックパネル２１から起立していることにより、簡易トレー１Ａを個箱３０に収容するときに第２の物品Ｂが簡易トレー１Ａから外れることを防止できる。また、エンドパネル２２の高さＬ5が個箱３０の高さＨ2に合わせて定められているので、個箱３０内で簡易トレー１Ａがこの高さ方向でがたつくことも抑制できる。
【００３０】
したがって、この簡易トレー１Ａによれば、例えば、第２の物品Ｂがファンデーションのコンパクトケースで、第１の物品Ａが、第２の物品Ｂに嵌めるファンデーションの詰替用ケーキであった場合に、個箱３０内で、第１の物品Ａであるファンデーションの詰替用ケーキが割れてしまうおそれを著しく低減させることができる。
【００３１】
また、図３のように、簡易トレー１Ａを用いて第１の物品Ａと第２の物品Ｂを個箱３０内に収容する場合に必要とされる個箱３０の大きさと、簡易トレー１Ａを使用することなく、第１の物品Ａと第２の物品Ｂを接するように並置して個箱３０に収容する場合に必要とされる個箱の３０の大きさは実質的に同じである。したがって、簡易トレー１Ａの使用により個箱３０への包装状態が嵩高くなることはない。
【００３２】
さらに、簡易トレー１Ａを用いて個箱３０に収容した第１の物品Ａと第２の物品Ｂを、個箱３０から取り出す場合には、まず、簡易トレー１Ａを個箱３０から取り出し、次に、第２の物品Ｂを簡易トレー１Ａ上から取り出した後、差込片１５を第１の物品Ａ側に押し戻すことにより、四角筒状になっていた第１パネル領域１０を容易に開くことができるので、第１の物品Ａも取り出すことができる。
【００３３】
この簡易トレー１Ａを形成するシートとしては、ポリエチレン、ポリプロピレン、ＰＥＴ等のプラスチックシートや板紙等を使用することができ、それらは透明でも又は不透明でもよいが、特に、透明なプラスチックシートを使用した場合には、個箱３０の形成材料も透明プラスチックシートとすることにより、個箱３０の外から個箱３０内に並置した第１の物品Ａと第２の物品Ｂとを良好に観察することが可能となる。そのため、これらの商品の外観を消費者にアピールすることができるので好ましい。
【００３４】
本発明の簡易トレーは種々の態様をとることができる。例えば、図４に示す簡易トレー１Ｂは、図１の簡易トレー１Ａのフロントパネル１１に、第１の物品Ａの観察用窓１６を開口したものである。これにより、この簡易トレー１Ｂを不透明なプラスチックシートや板紙から形成した場合でも、個箱３０を透明材料から形成することにより、簡易トレー１Ｂを用いて個箱３０に収容した第１の物品Ａと第２の物品Ｂを、個箱３０の外から容易に観察することが可能となる。
【００３５】
図５は、本発明の異なる実施例の簡易トレー１Ｃの斜視図及びその断面図であり、図６は、その簡易トレー１Ｃの展開状態の平面図である。この簡易トレー１Ｃにおいては、第１パネル領域１０で第１の物品Ａを囲み、差込片１５を差込口２３に差し込むにあたり、差込片１５を、第２パックパネル２１の表面側から背面側へ差し込むようにしたものである。
【００３６】
そのため、第１パネル領域１０のバックパネル１２が第２パネル領域２０の第２バックパネル２１に連設し、差込片１５は、側面パネル１３ａに連設している。
【００３７】
また、第１パネル領域１０のバックパネル１２と第２パネル領域２０の第2バックパネル２１との間では折り曲げないので、バックパネル１２と第2バックパネル２１との間には、他のパネルの間とは異なり折り曲げ用罫線は設けていない。
【００３８】
図７は、さらに異なる実施例の簡易トレー１Ｄの斜視図及び断面図であり、図８は、その簡易トレー１Ｃの展開状態の平面図である。この簡易トレー１Ｄは、図５の簡易トレー１Ｃにおいて、差込片１５の差込口２３を第２バックパネル２１内に形成し、それに伴い、図７に示すように、組立後に第２バックパネル２１と重なり合う折りしろ片１７を側面パネル１３ａに連設し、この折りしろ片１７に差込片１５を連設させたものである。
【００３９】
この他、本発明においては、折りしろ片１７が、筒状にした第１パネル領域１０のバックパネル１１と重なり合うように折りしろ片１７を折り曲げ、バックパネル１１に形成した差込口２３に差込片１５を差し込んでもよい。このように、本発明においては、差込片１５を差し込む差込口２３は、バックパネル１２、第２バックパネル２１又はこれらの境界部のいずれに形成してもよい。
【００４０】
図９の簡易トレー１Ｅは、バックパネル１２の中央部に、フロントパネル１１側に突出する段部２４が形成されるように、第１パネル領域１０を折り曲げたものである。図１０は、この簡易トレー１Ｅを用いて第１の物品Ａと第２の物品Ｂを個箱３０に収容した状態の模式的断面図である。図１０に示すように、段部２４の高さは、第１の物品Ａの高さＨ1と第２の物品Ｂの高さＨ2との差となるように形成することが好ましい。これにより、第１の物品Ａと第２の物品Ｂを個箱３０に収容した状態で、第１の物品Ａの表面と第２の物品Ｂの表面を面一に揃えることができ、第１、第２の物品Ａ、Ｂを収容した個箱３０の外観を向上させることができ、また、これらの物品Ａ、Ｂのがたつきをより一層低減させることができる。
【産業上の利用可能性】
【００４１】
本発明の簡易トレーは、例えば、ファンデーション、チーク、シャドウ等の化粧料のコンパクトケースと、それらの詰替用ケーキを個箱に収容する場合のように、２つの物品を併置して個箱に収容する包装分野で有用である。
【図面の簡単な説明】
【００４２】
【図１】簡易トレー１Ａの斜視図である。
【図２】簡易トレー１Ａの展開状態の平面図である。
【図３】簡易トレー１Ａを用いて個箱に物品を収容した状態の模式的斜視図及びその断面図である。
【図４】簡易トレー１Ｂの斜視図である。
【図５】簡易トレー１Ｃの斜視図及び断面図である。
【図６】簡易トレー１Ｃの展開状態の平面図である。
【図７】簡易トレー１Ｄの斜視図及び断面図である。
【図８】簡易トレー１Ｄの展開状態の平面図である。
【図９】簡易トレー１Ｅの斜視図である。
【図１０】簡易トレー１Ｅを用いて個箱に物品を収容した状態の模式的断面図である。
【符号の説明】
【００４３】
１Ａ、１Ｂ、１Ｃ、１Ｄ、１Ｅ    簡易トレー
１０    第１パネル領域
１１    フロントパネル
１２    バックパネル
１３ａ、１３ｂ    側面パネル
１４ａ、１４ｂ    フラップ
１５    差込片
１６    観察用窓
１７    折りしろ片
２０    第２パネル領域
２１    第２バックパネル
２２    エンドパネル
２３    差込口
２４    段部
３０    個箱
A    第１の物品
B    第２の物品
【図１】
2010126205.tif 000003
【図２】
2010126205.tif 000004
【図３】
2010126205.tif 000005
【図４】
2010126205.tif 000006
【図５】
2010126205.tif 000007
【図６】
2010126205.tif 000008
【図７】
2010126205.tif 000009
【図８】
2010126205.tif 000010
【図９】
2010126205.tif 000011
【図１０】
2010126205.tif 000012